(57)【要約】【課題】表示装置に適切に映像を表示させることができる送信方法を提供する。【解決手段】送信方法は、ハイブリッド型のＥＯＴＦを用いて輝度値が量子化されたビデオストリームと、当該ビデオストリームの属性情報とを取得し、取得されたビデオストリームを復号する。また、上記送信方法は、復号されたビデオストリームを、取得された属性情報に基づいて輝度のダイナミックレンジを指定して表示装置に送信する。【選択図】図５
2017220689.tif 000002
【特許請求の範囲】
【請求項１】
ハイブリッド型のＥＯＴＦ（Ｅｌｅｃｔｒｏ−Ｏｐｔｉｃａｌ  Ｔｒａｎｓｆｅｒ  Ｆｕｎｃｔｉｏｎ）を用いて輝度値が量子化されたビデオストリームと、前記ビデオストリームの属性情報とを取得し、
取得された前記ビデオストリームを復号し、
復号された前記ビデオストリームを、取得された前記属性情報に基づいて輝度のダイナミックレンジを指定して表示装置に送信する
送信方法。
【請求項２】
取得された前記属性情報が、前記ビデオストリームがＳＤＲ（Ｓｔａｎｄａｒｄ  Ｄｙｎａｍｉｃ  Ｒａｎｇｅ）のビデオストリームであることを示す場合、復号された前記ビデオストリームを、ＳＤＲを指定して前記表示装置に送信する
請求項１に記載の送信方法。
【請求項３】
取得された前記属性情報が、前記ビデオストリームがＳＤＲのビデオストリームであることを示し、かつ、前記ビデオストリームの輝度値の量子化に用いられたＥＯＴＦがハイブリッド型であることを示す場合、復号された前記ビデオストリームを、前記表示装置の表示能力に応じた輝度のダイナミックレンジを指定して前記表示装置に送信する
請求項１に記載の送信方法。
【請求項４】
取得された前記属性情報が、前記ビデオストリームがＨＤＲ（Ｈｉｇｈ  Ｄｙｎａｍｉｃ  Ｒａｎｇｅ）のビデオストリームであることを示し、かつ、前記ビデオストリームの輝度値の量子化に用いられたＥＯＴＦがハイブリッド型であることを示す場合、復号された前記ビデオストリームを、ＨＤＲを指定して前記表示装置に送信する
請求項１に記載の送信方法。
【請求項５】
取得された前記属性情報が、前記ビデオストリームの輝度値の量子化に用いられたＥＯＴＦがハイブリッド型であることを示す場合、復号された前記ビデオストリームを、前記表示装置の表示能力に応じた輝度のダイナミックレンジを指定して前記表示装置に送信する
請求項１に記載の送信方法。
【請求項６】
前記属性情報の取得においては、前記ビデオストリームを送信するプロトコルとしてＨＤＭＩ(登録商標)（Ｈｉｇｈ−Ｄｅｆｉｎｉｔｉｏｎ  Ｍｕｌｔｉｍｅｄｉａ  Ｉｎｔｅｒｆａｃｅ）が用いられる際のメタデータに含まれる前記属性情報を取得する
請求項１に記載の送信方法。
【請求項７】
前記属性情報の取得においては、コンテンツ配信において使用されるマニフェストファイルに含まれる前記属性情報を取得する
請求項１に記載の送信方法。
【請求項８】
前記属性情報の取得においては、放送波の記述子に含まれる前記属性情報を取得する
請求項１に記載の送信方法。
【請求項９】
ハイブリッド型のＥＯＴＦを用いて輝度値が量子化されたビデオストリームと、前記ビデオストリームの属性情報とを取得する取得部と、
取得された前記ビデオストリームを復号する復号部と、
復号された前記ビデオストリームを、取得された前記属性情報に基づいて輝度のダイナミックレンジを指定して表示装置に送信する送信部とを備える
再生装置。
【発明の詳細な説明】
【技術分野】
【０００１】
本開示は、送信方法および再生装置に関する。
【背景技術】
【０００２】
従来、表示可能な輝度レベルを改善するための画像信号処理装置が開示されている（例えば特許文献１参照）。
【先行技術文献】
【特許文献】
【０００３】
【特許文献１】特開２００８−１６７４１８号公報
【非特許文献】
【０００４】
【非特許文献１】Ｗｈｉｔｅ  ｐａｐｅｒ  ｏｆ  ＢＢＣ’ｓ  ＥＯＴＦ、インターネット<URL:http://www.bbc.co.uk/rd/publications/whitepaper283>
【発明の概要】
【発明が解決しようとする課題】
【０００５】
ところで、表示装置が接続される再生装置は、接続される表示装置において適切に映像が表示されるように映像信号を送信する必要がある。
【０００６】
本開示は、表示装置に適切に映像を表示させることができる送信方法を提供する。
【課題を解決するための手段】
【０００７】
本開示の一態様に係る送信方法は、ハイブリッド型のＥＯＴＦ（Ｅｌｅｃｔｒｏ−Ｏｐｔｉｃａｌ  Ｔｒａｎｓｆｅｒ  Ｆｕｎｃｔｉｏｎ）を用いて輝度値が量子化されたビデオストリームと、前記ビデオストリームの属性情報とを取得し、取得された前記ビデオストリームを復号し、復号された前記ビデオストリームを、取得された前記属性情報に基づいて輝度のダイナミックレンジを指定して表示装置に送信する。
【０００８】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【発明の効果】
【０００９】
上記態様によれば、表示装置に適切に映像を表示させることができる。
【図面の簡単な説明】
【００１０】
【図１】図１は、ＰＱのＥＯＴＦが使用されたビデオストリームをＨＤＲ対応ＴＶおよびＳＤＲ対応ＴＶに送信する場合を説明するための図である。
【図２】図２は、ハイブリッド型のＥＯＴＦが使用されたビデオストリームをＨＤＲ対応ＴＶおよびＳＤＲ対応ＴＶに送信する場合を説明するための図である。
【図３】図３は、ハイブリッド型のＥＯＴＦが使用されたビデオストリームの再生方法を示す図である。
【図４】図４は、３種類のＢＤの再生方法を示す図である。
【図５】図５は、３種類のＢＤの再生方法の詳細を示す図である。
【図６】図６は、ハイブリッド型のＥＯＴＦを説明するための図である。
【発明を実施するための形態】
【００１１】
本開示の一態様に係る送信方法は、ハイブリッド型のＥＯＴＦ（Ｅｌｅｃｔｒｏ−Ｏｐｔｉｃａｌ  Ｔｒａｎｓｆｅｒ  Ｆｕｎｃｔｉｏｎ）を用いて輝度値が量子化されたビデオストリームと、前記ビデオストリームの属性情報とを取得し、取得された前記ビデオストリームを復号し、復号された前記ビデオストリームを、取得された前記属性情報に基づいて輝度のダイナミックレンジを指定して表示装置に送信する。
【００１２】
また、例えば、取得された前記属性情報が、前記ビデオストリームがＳＤＲ（Ｓｔａｎｄａｒｄ  Ｄｙｎａｍｉｃ  Ｒａｎｇｅ）のビデオストリームであることを示す場合、復号された前記ビデオストリームを、ＳＤＲを指定して前記表示装置に送信してもよい。
【００１３】
また、例えば、取得された前記属性情報が、前記ビデオストリームがＳＤＲのビデオストリームであることを示し、かつ、前記ビデオストリームの輝度値の量子化に用いられたＥＯＴＦがハイブリッド型であることを示す場合、復号された前記ビデオストリームを、前記表示装置の表示能力に応じた輝度のダイナミックレンジを指定して前記表示装置に送信してもよい。
【００１４】
また、例えば、取得された前記属性情報が、前記ビデオストリームがＨＤＲ（Ｈｉｇｈ  Ｄｙｎａｍｉｃ  Ｒａｎｇｅ）のビデオストリームであることを示し、かつ、前記ビデオストリームの輝度値の量子化に用いられたＥＯＴＦがハイブリッド型であることを示す場合、復号された前記ビデオストリームを、ＨＤＲを指定して前記表示装置に送信してもよい。
【００１５】
また、例えば、取得された前記属性情報が、前記ビデオストリームの輝度値の量子化に用いられたＥＯＴＦがハイブリッド型であることを示す場合、復号された前記ビデオストリームを、前記表示装置の表示能力に応じた輝度のダイナミックレンジを指定して前記表示装置に送信してもよい。
【００１６】
また、例えば、前記属性情報の取得においては、前記ビデオストリームを送信するプロトコルとしてＨＤＭＩ(登録商標)（Ｈｉｇｈ−Ｄｅｆｉｎｉｔｉｏｎ  Ｍｕｌｔｉｍｅｄｉａ  Ｉｎｔｅｒｆａｃｅ）が用いられる際のメタデータに含まれる前記属性情報を取得してもよい。
【００１７】
また、例えば、前記属性情報の取得においては、コンテンツ配信において使用されるマニフェストファイルに含まれる前記属性情報を取得してもよい。
【００１８】
また、例えば、前記属性情報の取得においては、放送波の記述子に含まれる前記属性情報を取得してもよい。
【００１９】
本開示の一態様に係る再生装置は、ハイブリッド型のＥＯＴＦを用いて輝度値が量子化されたビデオストリームと、前記ビデオストリームの属性情報とを取得する取得部と、取得された前記ビデオストリームを復号する復号部と、復号された前記ビデオストリームを、取得された前記属性情報に基づいて輝度のダイナミックレンジを指定して表示装置に送信する送信部とを備える。
【００２０】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００２１】
以下、添付の図面を参照して、本開示の一態様に係る送信方法および再生装置について、具体的に説明する。
【００２２】
なお、以下で説明する実施の形態は、いずれも本開示の一具体例を示すものである。以下の実施の形態で示される数値、形状、材料、構成要素。構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００２３】
なお、以下の実施の形態においては、映像の輝度値の量子化に用いられる関数及び輝度値の復元に用いられる関数の両方をＥＯＴＦ（Ｅｌｅｃｔｒｏ−Ｏｐｔｉｃａｌ  Ｔｒａｎｓｆｅｒ  Ｆｕｎｃｔｉｏｎ）と記載するが、映像の輝度値の量子化に用いられる関数については、ＯＥＴＦ（Ｏｐｔｉｃａｌ−Ｅｌｅｃｔｒｏ  Ｔｒａｎｓｆｅｒ  Ｆｕｎｃｔｉｏｎ）と記載される場合がある。後述するように、ＯＥＴＦは、ＥＯＴＦの逆関数である。
【００２４】
（実施の形態）
これまで、映像の高画質化においては、画素数の拡大に主眼がおかれていた。Ｆｕｌｌ  ＨＤ（ＦＨＤ：Ｆｕｌｌ  Ｈｉｇｈ  Ｄｅｆｉｎｉｔｉｏｎ）と呼ばれる１９２０×１０８０画素の映像、あるいは、２０４８×１０８０画素の映像が普及するに至っている。近年、映像の更なる高画質化を目指して、３８４０ｘ１９２０画素、あるいは、４０９６×１９２０画素といった、所謂４Ｋ映像の導入が開始されている。そしてさらに、映像の高解像度化を行うと共に、輝度のダイナミックレンジや色域の拡大、あるいは、フレームレートの向上などを行うことで映像を高画質化することが検討されている。
【００２５】
従来の映像における暗部階調を維持しつつ、現行のＴＶ信号では表現不能な鏡面反射光などの明るい光を、より現実に近い明るさで表現するために最大輝度値を拡大した輝度のダイナミックレンジとして、ＨＤＲ（Ｈｉｇｈ  Ｄｙｎａｍｉｃ  Ｒａｎｇｅ）が注目されている。これまでのＴＶ信号が対応している輝度のダイナミックレンジは、ＳＤＲ（Ｓｔａｎｄａｒｄ  Ｄｙｎａｍｉｃ  Ｒａｎｇｅ）と呼ばれ、最大輝度値が１００ｎｉｔであったのに対して、ＨＤＲでは１０００ｎｉｔ以上まで最大輝度値を拡大することが想定されている。ＨＤＲの具体的な適用先としては、放送やＢＤ（Ｂｌｕ−ｒａｙ（登録商標）  Ｄｉｓｃ）などが想定される。
【００２６】
ところで、いわゆるガンマカーブであるＥＯＴＦとして、ＰＱのＥＯＴＦ（ＳＭＰＴＥ  ２０８４）が知られている。図１は、ＰＱのＥＯＴＦが使用されたビデオストリームをＨＤＲ対応ＴＶおよびＳＤＲ対応ＴＶに送信する場合を説明するための図である。
【００２７】
図１に示されるように、ＰＱのＥＯＴＦが使用されたビデオストリームが用いられるケースにおいては、ユーザは、当該ユーザが有するＴＶの表示能力に応じてＳＤＲディスク及びＨＤＲディスクの選択を行う必要がある。なお、ＳＤＲディスクは、ＳＤＲのビデオストリーム（以下、ＳＤＲストリームとも記載する）のみが記録されたＢＤであり、ＨＤＲディスクは、ＨＤＲのビデオストリーム（以下、ＨＤＲストリームとも記載する）のみが記録されたＢＤである。
【００２８】
一方で、ＢＢＣ（Ｂｒｉｔｉｓｈ  Ｂｒｏａｄｃａｓｔｉｎｇ  Ｃｏｒｐｏｒａｔｉｏｎ：英国放送協会）がＩＴＵに提案している、暗い部分はＢＴ．７０９のガンマカーブと互換性があるハイブリッド型のＥＯＴＦも知られている。図２は、ハイブリッド型のＥＯＴＦが使用されたビデオストリームをＨＤＲ対応ＴＶおよびＳＤＲ対応ＴＶに送信する場合を説明するための図である。なお、以下の実施の形態では、ハイブリッド型のＥＯＴＦが使用されたビデオストリームを、単に、ハイブリッド型のビデオストリームとも記載する。
【００２９】
図２に示されるように、ハイブリッド型のＥＯＴＦが使用されたビデオストリームが用いられるケースにおいては、ユーザは、ＢＤに記録されている輝度のダイナミックレンジを気にする必要はない。したがって、例えば、ビデオストリームのネット配信サービスでは、ハイブリッド型のＥＯＴＦが使用されたビデオストリームが配信されれば、ユーザの混乱を回避できる。
【００３０】
また、ＨＤＲからＳＤＲへの変換を製造メーカが独自の方式に基づいて行うことで、ＳＤＲ変換後の映像がコンテンツ制作者の意図通りに表現されない場合があることが課題である。
【００３１】
これに対し、図３に示されるように、ハイブリッド型のＥＯＴＦが使用されたビデオストリームが用いられるケースにおいては、ＨＤＲからＳＤＲへの変換処理が行われない。図３は、ハイブリッド型のＥＯＴＦが使用されたビデオストリームの再生方法を示す図である。
【００３２】
このため、コンテンツ製作者は、ＢＤ機器においてＨＤＲからＳＤＲへの変換処理が行われることによりコンテンツの画質が変えられてしまう心配がない。言い換えれば、ユーザがハイブリッド型のＥＯＴＦが使用されたビデオストリームをＳＤＲ対応のＴＶに表示する場合も、コンテンツ製作者は、表示されたＳＤＲの画像の品質を管理することができる。
【００３３】
なお、ビデオストリームがＨＤＲストリームの場合は、色空間変換（ＢＴ．２０２０→ＢＴ．７０９）が必要である。また、ビデオストリームが４Ｋ／ＵＨＤストリームの場合は、ダウンコンバージョン（４Ｋ／ＵＨＤ→ＨＤ（２Ｋ））が必要である。
【００３４】
また、１つのＢＤにＨＤＲストリームとＳＤＲストリームとの両方が記録されていれば、ＢＤ機器においてＨＤＲからＳＤＲへの変換処理は必要ない。しかしながら、ハイブリッド型のＥＯＴＦが使用されたビデオストリームが用いられるケースにおいては、コンテンツ製作者は、ＨＤＲストリームが記録されたディスクにＳＤＲストリームをさらに準備（記録）する必要もない。
【００３５】
長編映画については、ＰＱのＥＯＴＦが解決策となると考えられるが、消費者にＨＤＲのコンセプトをプロモーションするためには、長編映画だけでなく、スポーツ、コンサート、風景、ドキュメンタリー、テレビドラマなどのさまざまなＨＤＲのコンテンツが必要である。ハイブリッド型のＥＯＴＦは、ＰＱのＥＯＴＦに比べれば、これらのコンテンツのためのより合理的な解決策になりえる。
【００３６】
ハイブリッド型のＥＯＴＦが用いられることにより、例えば、今後、数多くのＨＤＲコンテンツが提供されることが予想される。ハイブリッド型のＥＯＴＦは、ドキュメンタリー、スポーツ、コンサート、及び、テレビドラマなどのリアルタイム放送に使用することができる。また、ハイブリッド型のＥＯＴＦを用いたＨＤＲコンテンツの作成は、簡単かつ容易である。
【００３７】
インターネットサービスプロバイダは、ハイブリッド型のＥＯＴＦが使用されたＨＤＲコンテンツを提供すれば、ＳＤＲ対応ＴＶ用にＳＤＲのコンテンツを用意する必要はない。
【００３８】
また、ハイブリッド型のＥＯＴＦは、ＢＤ機器及びＴＶに実装するのが容易である。ＢＤ機器は、ＨＤＲからＳＤＲへの変換処理を行う必要がなく、ＴＶは、複雑な色変換処理を行う必要がないからである。
【００３９】
ハイブリッド型のＥＯＴＦが採用された場合、図４に示されるように、ＢＤ機器及びＴＶは、３種類のＢＤ（ＳＴ２０８４のビデオストリームのみが記録されたＢＤ、ハイブリッド型のビデオストリームのみが記憶されたＢＤ、及び、ＢＴ１８８６のビデオストリームのみが記録されたＢＤ）に対応しなければならない。図４は、３種類のＢＤの再生方法を示す図である。
【００４０】
次に、図５を用いてＢＤ機器の動作の詳細について説明する。図５は、３種類のＢＤが再生される場合の再生方法の詳細を示す図である。
【００４１】
ＢＤ機器は、当該ＢＤ機器にＨＤＲ対応ＴＶが接続されている時には、３種類のＢＤすべてのビデオストリームを復号し、メタデータ（ＨＤＲメタデータ）とビデオデータ（復号後のビデオストリーム）とをＨＤＲ対応ＴＶに送信する必要がある。なお、ＢＤ機器がハイブリッド型のビデオストリームを復号及び送信する場合、ハイブリッド型のビデオストリームに対応するメタデータにおいては、輝度のダイナミックレンジが指定される。
【００４２】
一方、ＢＤ機器は、当該ＢＤ機器にＳＤＲ対応ＴＶが接続されている時には、ＨＤＲストリーム（ＳＴ２０８４）をデコードし、ＥＯＴＦをＨＤＲからＳＤＲに変換し、ＳＤＲ対応ＴＶに送信する。
【００４３】
また、ＢＤ機器は、当該ＢＤ機器にＳＤＲ対応のＴＶが接続されている時には、ハイブリッド型のビデオストリームとＳＤＲストリーム（ＢＴ１８８６）については、デコード結果のＥＯＴＦを変更することなく、ＳＤＲ対応ＴＶに送信すればよい。このように、ハイブリッド型のビデオストリームに対しては、ＳＤＲストリーム（ＢＴ１８８６）と同等の再生処理を行うことができる。
【００４４】
ＢＤ機器は、ハイブリッド型のＥＯＴＦが使用されたコンテンツを、少なくともＳＤＲコンテンツとして、ＨＤＲ対応ＴＶ及びＳＤＲ対応ＴＶの両方に伝送できなければならない。ＢＤ機器は、静的メタデータとハイブリッド型のＥＯＴＦが使用されたコンテンツを、ＨＤＲコンテンツとしてＨＤＲ対応ＴＶに伝送することができる。
【００４５】
ところで、ハイブリッド型のＥＯＴＦは、ＳＤＲのＥＯＴＦとして扱うことができる。コンテンツ製作者は、ＳＤＲコンテンツの字幕、グラフィックス、及びメニュー（ＩＧ（Ｉｎｔｅｒａｃｔｉｖｅ  Ｇｒａｐｈｉｃｓ）／ＰＧ（Ｐｒｅｓｅｎｔａｔｉｏｎ  Ｇｒａｐｈｉｃｓ）およびＪａｖａ（登録商標）グラフィックス）を使用しなければならない。つまり、ハイブリッド型のＥＯＴＦが使用されたビデオストリームと共に表示されるグラフィックスに対する技術的な仕様は、ＳＤＲストリームと同じであり、具体的には、ＳＤＲ用のＩＧ／ＰＧ、及び、ＳＤＲ用のＪａｖａ（登録商標）が用いられる。
【００４６】
コンテンツ製作者は、ＳＤＲ用のビデオ、字幕、グラフィック、及び、メニューの見栄えと、ＨＤＲ用のビデオ、字幕、グラフィック、及び、メニューの見栄えとを両方チェックしなければならない。また、ハイブリッド型のＥＯＴＦが使用されたＢＤコンテンツは、ＨＤＭＩ(登録商標)の静的メタデータを持っていなければならない。
【００４７】
ハイブリッド型のビデオストリームに対応するプレイリストまたはマニフェストファイルにおいては、当該ビデオストリームをＳＤＲ対応ＴＶ及びＨＤＲ対応ＴＶの両方で再生可能とするために、ハイブリッド型のビデオストリームをＳＤＲストリームとしてシグナリングできる。
【００４８】
ハイブリッド型のビデオストリームがＨＤＲ対応ＴＶで再生される際には、ＢＤ機器は、ＨＤＭＩ(登録商標)のメタデータ、コンテンツ配信におけるマニフェストファイル、または、放送における記述子などで示されるビデオ信号の属性情報に基づいて、以下のように動作することができる。
【００４９】
ケース（１）
例えば、ハイブリッド型のビデオストリームの属性情報において、当該ハイブリッド型のビデオストリームがＳＤＲストリームであることのみが示されているケースがある。このようなケースにおいては、ＢＤ機器は、当該ハイブリッド型のビデオストリームをＳＤＲストリームとしてＨＤＲ対応ＴＶに出力し、ハイブリッド型のビデオストリームは、ＳＤＲストリームとして再生される。つまり、ＢＤ機器は、復号後のハイブリッド型のビデオストリームを、ＳＤＲを指定して表示装置に送信する。なお、輝度のダイナミックレンジの指定には、例えば、ＨＤＭＩ(登録商標)のメタデータが用いられる。
【００５０】
ケース（２）
また、ハイブリッド型のビデオストリームの属性情報において、当該ハイブリッド型のビデオストリームがＳＤＲストリームであることと、及び、当該ビデオストリームのＥＯＴＦがハイブリッド型のＥＯＴＦであることとが示されるケースがある。このようなケースにおいては、ＢＤ機器は、当該ハイブリッド型のビデオストリームをＳＤＲストリームとしてＨＤＲ対応ＴＶに出力し、ＨＤＲ対応ＴＶは、ハイブリッド型のビデオストリームをＳＤＲストリームとして再生する。つまり、ＢＤ機器は、復号後のハイブリッド型のビデオストリームを、ＳＤＲを指定して表示装置に送信する。
【００５１】
あるいは、ＢＤ機器は、ＥＯＴＦがハイブリッド型のＥＯＴＦであることに基づいて、ハイブリッドビデオストリームであることを識別し、ハイブリッド型のビデオストリームをＨＤＲストリームとしてＨＤＲ対応ＴＶに出力してもよい。つまり、ＢＤ機器は、復号後のハイブリッド型のビデオストリームを、ＨＤＲを指定して表示装置に送信する。このとき、ハイブリッド型のビデオストリームは、ＨＤＲストリームとして再生される。
【００５２】
ケース（３）
また、ハイブリッド型のビデオストリームの属性情報において、当該ハイブリッド型のビデオストリームがＨＤＲストリームであること、及び、当該ハイブリッド型のビデオストリームのＥＯＴＦがハイブリッド型のＥＯＴＦあることが示されるケースがある。このようなケースにおいては、ＢＤ機器は、ハイブリッド型のビデオストリームをＨＤＲストリームとしてＨＤＲ対応ＴＶに出力し、ハイブリッド型のビデオストリームは、ＨＤＲストリームとして再生される。つまり、ＢＤ機器は、復号後のビデオストリームを、ＨＤＲを指定して表示装置に送信する。
【００５３】
ケース（４）
また、ハイブリッド型のビデオストリームの属性情報において、当該ハイブリッド型のビデオストリームのＥＯＴＦがハイブリッド型のＥＯＴＦであることのみが示されるケースがある。このようなケースにおいては、ＢＤ機器は、ハイブリッド型のビデオストリームをＨＤＲストリームとしてＨＤＲ対応ＴＶに出力し、ハイブリッド型のビデオストリームは、ＨＤＲストリームとして再生される。つまり、ＢＤ機器は、復号後のビデオストリームを、ＨＤＲを指定して表示装置に送信する。
【００５４】
上記ケース（３）において、ＢＤ機器にＳＤＲ対応ＴＶが接続されているときには、ＢＤ機器は、ＥＯＴＦがハイブリッド型のＥＯＴＦであることに基づいてハイブリッドビデオストリームであることを識別し、ハイブリッド型のビデオストリームをＳＤＲストリームとして出力する。ハイブリッド型のビデオストリームは、ＳＤＲストリームとして再生される。
【００５５】
また、上記ケース（１）、上記ケース（２）、及び、上記ケース（４）においても、ＢＤ機器にＳＤＲ対応ＴＶが接続されているときには、ＢＤ機器は、ハイブリッド型のビデオストリームをＳＤＲストリームとして出力する。ハイブリッド型のビデオストリームは、ＳＤＲストリームとして再生される。
【００５６】
また、ハイブリッド型のビデオストリームの属性情報において、ハイブリッド型のビデオストリームであることが示されれば、ＢＤ機器は、ＳＤＲ対応ＴＶ、及び、ＨＤＲ対応ＴＶのいずれが接続されている場合であってもＴＶの表示能力（再生能力）に応じてＳＤＲ／ＨＤＲを適切に選択できる。なお、ＢＤ機器は、例えば、当該ＢＤ機器に接続されたＴＶの表示能力（ＳＤＲ対応ＴＶまたはＨＤＲ対応ＴＶ）を、当該ＴＶからＨＤＭＩ(登録商標)を通じて取得する。
【００５７】
インターネット配信（ＯＴＴ：Ｏｖｅｒ  ｔｈｅ  Ｔｏｐ）において複数のコンテンツが重畳表示される場合、あるいは、放送において、放送コンテンツと、データ放送または通信路から取得したコンテンツとが重畳表示される場合がある。このような場合においても、ハイブリッド型のビデオストリームが用いられれば、ＴＶは、同時に表示される複数のビデオストリームのそれぞれがＳＤＲストリーム及びＨＤＲストリームのいずれであるかを意識せずに、輝度値の変換を行わずに重畳表示を行うことができる。また、ＢＤ機器は、接続されるＴＶ（表示装置）の能力に応じて、ハイブリッド型のビデオストリームを、ＳＤＲストリーム及びＨＤＲストリームのいずれかとして出力できる。
【００５８】
［効果等］
以上説明したように、実施の形態に係る送信方法は、ハイブリッド型のＥＯＴＦを用いて輝度値が量子化されたビデオストリームと、当該ビデオストリームの属性情報とを取得し、取得されたビデオストリームを復号する。また、上記送信方法は、復号されたビデオストリームを、取得された属性情報に基づいて輝度のダイナミックレンジを指定して表示装置に送信する。
【００５９】
これにより、送信方法は、属性情報に応じた適切な輝度のダイナミックレンジで映像を表示装置に表示することができる。つまり、送信方法は、表示装置に適切に映像を表示させることができる。
【００６０】
上記送信方法においては、取得された属性情報が、ビデオストリームがＳＤＲのビデオストリームであることを示す場合、復号されたビデオストリームを、ＳＤＲを指定して表示装置に送信する。
【００６１】
このような送信方法によれば、ハイブリッド型のビデオストリームをＳＤＲストリームとして表示装置に表示することができる。
【００６２】
上記送信方法においては、取得された属性情報が、ビデオストリームがＳＤＲのビデオストリームであることを示し、かつ、ビデオストリームの輝度値の量子化に用いられたＥＯＴＦがハイブリッド型であることを示す場合、復号されたビデオストリームを、表示装置の表示能力に応じた輝度のダイナミックレンジを指定して表示装置に送信する。
【００６３】
このような送信方法によれば、ハイブリッド型のビデオストリームを表示装置の表示能力に応じて表示装置に表示することができる。
【００６４】
上記送信方法においては、取得された属性情報が、ビデオストリームがＨＤＲのビデオストリームであることを示し、かつ、ビデオストリームの輝度値の量子化に用いられたＥＯＴＦがハイブリッド型であることを示す場合、復号されたビデオストリームを、ＨＤＲを指定して表示装置に送信する。
【００６５】
このような送信方法によれば、ハイブリッド型のビデオストリームをＨＤＲストリームとして表示装置に表示することができる。
【００６６】
上記送信方法においては、取得された属性情報が、ビデオストリームの輝度値の量子化に用いられたＥＯＴＦがハイブリッド型であることを示す場合、復号されたビデオストリームを、表示装置の表示能力に応じた輝度のダイナミックレンジを指定して表示装置に送信する。
【００６７】
このような送信方法によれば、ハイブリッド型のビデオストリームを表示装置の表示能力に応じて表示装置に表示することができる。
【００６８】
また、属性情報の取得においては、ＨＤＭＩ(登録商標)のメタデータに含まれる属性情報を取得してもよい。
【００６９】
このように、上記送信方法は、ビデオストリームを送信するプロトコルとしてＨＤＭＩ(登録商標)が用いられる際のメタデータに含まれる属性情報を取得することができる。
【００７０】
また、属性情報の取得においては、コンテンツ配信において使用されるマニフェストファイルに含まれる属性情報を取得してもよい。
【００７１】
このように、上記送信方法は、マニフェストファイルに含まれる属性情報を取得することができる。
【００７２】
また、属性情報の取得においては、放送波の記述子に含まれる属性情報を取得してもよい。
【００７３】
このように、上記送信方法は、記述子に含まれる属性情報を取得することができる。
【００７４】
また、実施の形態に係る再生装置は、ハイブリッド型のＥＯＴＦを用いて輝度値が量子化されたビデオストリームと、ビデオストリームの属性情報とを取得する取得部と、取得されたビデオストリームを復号する復号部と、復号されたビデオストリームを、取得された属性情報に基づいて輝度のダイナミックレンジを指定して表示装置に送信する送信部とを備える。
【００７５】
これにより、再生装置は、属性情報に応じた適切な輝度のダイナミックレンジで映像を表示させることができる。つまり、送信方法は、表示装置に適切に映像を表示させることができる。
【００７６】
［補足］
以下、ハイブリッド型のＥＯＴＦについて補足する。図６は、ハイブリッド型のＥＯＴＦを説明するための図である。
【００７７】
ＥＯＴＦは、一般的にガンマカーブと呼ばれるものであり、輝度値とコード値との対応を示し、輝度値を量子化してコード値に変換するための情報である。つまり、ＥＯＴＦは、輝度値と複数のコード値との対応関係を示す関係情報である。
【００７８】
例えば、ＳＤＲに対応した映像の輝度値を１０ビットの階調のコード値で表現する場合、１００ｎｉｔまでの輝度範囲における輝度値は、量子化されて、０−１０２３の１０２４個の整数値にマッピングされる。つまり、ＥＯＴＦに基づいて量子化が行われることで、１００ｎｉｔまでの輝度範囲の輝度値は、１０ビットのコード値に変換される。
【００７９】
ＨＤＲに対応したＥＯＴＦ（以下、「ＨＤＲのＥＯＴＦ」という。」）においては、ＳＤＲに対応したＥＯＴＦ（以下、「ＳＤＲのＥＯＴＦ」という。）よりも高い輝度値を表現することが可能である。例えば、図６においては、輝度の最大値（ピーク輝度）は１０００ｎｉｔｓである。つまり、ＨＤＲの輝度範囲は、ＳＤＲの輝度範囲を全て含み、ＨＤＲのピーク輝度は、ＳＤＲのピーク輝度より大きい。ＨＤＲの輝度範囲は、ＳＤＲの輝度範囲の最大値である例えば１００ｎｉｔから、１０００ｎｉｔまで、最大値を拡大した輝度範囲である。また、ＨＤＲ信号についても、例えば１０ビットの階調で表現される。
【００８０】
ＯＥＴＦは、ＥＯＴＦの逆関数である。つまり、ＥＯＴＦの反対の関係を用いれば、ＯＥＴＦを用いたことになるため、以下では、ＯＥＴＦを用いて映像の輝度値を量子化することを、同様の意味で、ＥＯＴＦを用いて映像の輝度値を量子化するとも言う。
【００８１】
グレーディング後の映像は、図６の（ａ）に示すＯＥＴＦにより量子化され、当該映像の輝度値に対応するコード値が決定される。このコード値に基づいて画像符号化などが行われ、エレメンタリ・ストリームが生成される。また、再生時には、エレメンタリ・ストリームの復号結果に対して、図６の（ｂ）に示すＥＯＴＦに基づいて逆量子化することにより、画素毎の輝度値が復元される。
【００８２】
なお、図６の場合、ＳＤＲストリームの生成には、ＢＴ．１８８６のＯＥＴＦが用いられることにより量子化され、ＳＤＲストリームの再生には、ＢＴ．１８８６のＥＯＴＦが用いられることにより輝度値が復元される。また、ＨＤＲストリームの生成には、ハイブリッド型のＯＥＴＦが用いられることにより量子化され、ＨＤＲストリームの再生には、ハイブリッド型のＥＯＴＦが用いられることにより輝度値が復元される。
【００８３】
ハイブリッド型のＥＯＴＦは、ＢＢＣがＩＴＵ−Ｒに提案している、ＳＤＲ対応ＴＶに互換性があるＨＤＲのＥＯＴＦである。ＳＤＲ対応ＴＶに互換性があるＨＤＲのＥＯＴＦとは、ＨＤＲ対応ＴＶで表示させたときは、ＨＤＲの輝度範囲における映像の輝度値を復元でき、かつ、ＳＤＲ対応ＴＶで表示させたときは、ＳＤＲの輝度範囲における映像の輝度値を復元できるＥＯＴＦである。
【００８４】
具体的には、ハイブリッド型のＯＥＴＦでは、暗部領域（低輝度領域）は、ＢＴ．１８８６と同じ特性によって量子化され、高輝度部分（領域）は、粗い量子化ステップで量子化される。そして、ＳＤＲ対応ＴＶは、高いコード値をＢＴ．１８８６のコード値として逆量子化する。つまり、ハイブリッド型のＨＤＲストリームは、ＳＤＲ対応ＴＶに表示されるときに、高輝度領域が自動的にＳＤＲ信号の輝度範囲にリマップされる。
【００８５】
図６に示すように、ハイブリッド型のＯＥＴＦは、５０ｎｉｔよりも輝度値が小さい暗部領域（低輝度領域）において、ＢＴ．１８８６のＯＥＴＦ（ＳＤＲのＯＥＴＦ）と同じカーブを有している。つまり、ハイブリッド型のＯＥＴＦとＳＤＲのＯＥＴＦとは、暗部領域において、輝度値とコード値との関係が略等しい。例えば、ハイブリッド型のＯＥＴＦは、次の式１のように示される。これは、非特許文献１「Ｗｈｉｔｅ  ｐａｐｅｒ  ｏｆ  ＢＢＣ’ｓ  ＥＯＴＦ」に記載されている。
【００８６】
【数１】
2017220689.tif 000003
【００８７】
なお、式１は、Ｖが０からξまでの範囲では、ＢＴ．１８８６のＯＥＴＦと同じ関係式になることを示している。
【００８８】
（その他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００８９】
また、上記各実施の形態において、再生装置を構成する構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００９０】
また、本開示は、システム、方法、集積回路、コンピュータプログラムまたはコンピュータ読み取り可能なＣＤ−ＲＯＭなどの記録媒体として実現されてもよく、システム、方法、集積回路、コンピュータプログラム、及び記録媒体の任意な組み合わせで実現されてもよい。例えば、本開示は、上記実施の形態に係る送信方法をコンピュータに実行させるためのプログラムとして実現されてもよい。
【００９１】
また、上記各実施の形態において、特定の処理部が実行する処理を別の処理部が実行してもよい。また、複数の処理の順序が変更されてもよいし、複数の処理が並行して実行されてもよい。
【００９２】
以上、一つまたは複数の態様に係る送信方法及び再生装置について、実施の形態に基づいて説明したが、本開示は、この実施の形態に限定されるものではない。本開示の趣旨を逸脱しない限り、当業者が思いつく各種変形を本実施の形態に施した形態、及び、異なる実施の形態における構成要素を組み合わせて構築される形態も、一つまたは複数の態様の範囲内に含まれてもよい。
【産業上の利用可能性】
【００９３】
本開示は、表示装置に適切に映像を表示させることができる送信方法及び再生装置などとして有用である。
【図１】
2017220689.tif 000004
【図２】
2017220689.tif 000005
【図３】
2017220689.tif 000006
【図４】
2017220689.tif 000007
【図５】
2017220689.tif 000008
【図６】
2017220689.tif 000009